(57)【要約】  【課題】  暑い時期にゴルフをする際に、腕の日焼けを防止するとともに、ゴルフコースに出ていない時には半袖で過ごせるようにすることを課題とする。  【解決手段】  日焼け防止用アームカバーとして、想定される対象者が想定される半袖の衣類を装着した際に、前記対象者の上腕の前記衣類の袖の開口よりも上方から手首までの長さを有する、紫外線遮蔽加工が施された布もしくは編物で形成される筒状体からなる袖部と、前記袖部の上縁近傍を前記上腕に締結する上腕締結手段とを設ける。【選択図】  図１
2006241635.tif 000002
【特許請求の範囲】
【請求項１】
想定される対象者が想定される半袖の衣類を装着した際に、前記対象者の上腕の前記衣類の袖の開口よりも上方から手首までの長さを有する、紫外線遮蔽加工が施された布もしくは編物で形成される筒状体からなる袖部と、
前記袖部の上縁近傍を前記上腕に締結する上腕締結手段とを有する
日焼け防止用アームカバー。
【請求項２】
前記袖部の下縁近傍を前記手首に締結する手首締結手段を有する請求項１に記載の日焼け防止用アームカバー。
【請求項３】
前記手首締結手段は前記袖部の下縁よりも上方に設けられる請求項２に記載の日焼け防止用アームカバー。
【請求項４】
前記上腕締結手段及び／又は手首締結手段は、ゴムベルトにより形成される請求項１から３のいずれか１項に記載の日焼け防止用アームカバー。
【発明の詳細な説明】
【技術分野】
【０００１】
本発明はゴルフにおいて半袖の衣類を着用する際に用いる日焼けを防止するために腕に装着するカバーに関する。
【背景技術】
【０００２】
従来、ゴルフをする際に腕の日焼けをしたくない場合には長袖のゴルフウエアーを着用することが一般的であった。
【発明の開示】
【発明が解決しようとする課題】
【０００３】
しかし、夏場の暑い時期に長袖のゴルフウエアーを着る場合、ゴルフコースに出ていないときにも着用し続けなければならず、昼食時などにおいても長袖のウエアーを着たまま過ごさなければならなかった。
本発明はこのような問題に鑑み、暑い時期にゴルフをする際に、腕の日焼けを防止するとともに、ゴルフコースに出ていない時には半袖で過ごせるようにすることを課題とする。
【課題を解決するための手段】
【０００４】
上記課題を解決するために、本発明は次のような構成を有する。
請求項１に記載の発明は、想定される対象者が想定される半袖の衣類を装着した際に、前記対象者の上腕の前記衣類の袖の開口よりも上方から手首までの長さを有する、紫外線遮蔽加工が施された布もしくは編物で形成される筒状体からなる袖部と、前記袖部の上縁近傍を前記上腕に締結する上腕締結手段とを有する日焼け防止用アームカバーである。
請求項２に記載の発明は、前記日焼け防止用アームカバーにおいて、前記袖部の下縁近傍を前記手首に締結する手首締結手段を有するものである。
請求項３に記載の発明は、請求項２に記載の日焼け防止用アームカバーにおいて、前記手首締結手段は前記袖部の下縁よりも上方に設けられるものである。
請求項４に記載の発明は、前記日焼け防止用アームカバーにおいて、前記上腕締結手段及び／又は手首締結手段は、ゴムベルトにより形成されるものである。
【発明の効果】
【０００５】
請求項１に記載の発明は、対象者の上腕の半袖の開口部よりも上方から手首までを紫外線遮断加工が施された布もしくは編物で覆うことができるので、ゴルフをする際に腕の日焼けを防止することができるとともに、昼食時などでは、上腕締結手段をはずすして全体を腕から取り去ることで半袖の状態で過ごすことができる。
請求項２に記載の発明は、袖部の下縁において手首を締結できるのでゴルフスイングに際して袖の先端がはためくことがなくなり、ゴルフスイングの邪魔にならない。
請求項３に記載の発明は、手首締結手段を前記袖部の下縁よりも上方に設けることで、手首締結手段よりも先に筒状のおおいができるので、手首締結部分を手首に直接締結しても、ゴルフ手袋の後端部分まで、この筒状のおおいで囲うことができるので、ゴルフ手袋と手首の境目の日焼けを防ぐことができる。
請求項４に記載の発明は、前記上腕締結手段及び／又は手首締結手段は、ゴムベルトにより構成することにより、袖部の着脱を簡易かつ迅速に行うことができる。
【発明を実施するための最良の形態】
【０００６】
以下、本発明の実施形態について図面を参照しながら説明する。
図１に本実施形態に係る日焼け防止用アームカバーＸの正面図を示す。この日焼け防止用アームカバーＸは、布で形成された筒状の袖部１０と、袖部１０の上縁に設けられる上腕締結部２０と、袖部１０の下縁近傍に設けられる手首締結部３０とから構成される。
袖部１０は、想定される対象者が平均的な袖の長さを有する半袖のポロシャツを着用した際の、袖の開口縁よりも上方に位置する上腕の部位から、手首までの長さを有するものであり、布地には紫外線遮蔽加工が施されている。
上腕締結部２０は、想定される対象者の上腕の外周の長さよりもやや短いゴムベルトを袖部１０の上縁を内側に折り返した内部に入れて縫いとめたものである。
手首締結部３０は、想定される対象者の手首の外周の長さよりもやや短いゴムベルトを袖部１０の下縁よりも約３ｃｍ上方の内側に縫いとめたものである。この結果として、袖部１０の手首締結部３０よりも下端側に筒状のおおい１０ａが形成されることになる。
【０００７】
次に、このような構成を有する日焼け防止カバーＸの使用方法について説明する。図２に日焼け防止カバーＸの使用状態を模式的に表した図を示す。まず、半袖のゴルフウエアを着用した使用者はゴルフコースへ出る前に、上腕締結部２０側から手を入れて腕を通し、図２に示すように着用しているゴルフウエアの半袖の開口部より上方にまで上腕締結部２０を位置づける。上腕締結部２０は上腕部の外周よりも短いゴムベルトを内部に有するので、この位置においてゴムベルトが伸びて上腕を締め付けることにより日焼け防止カバーＸは上腕に固定されることになる。一方、袖部１０の下縁側においても、手首締結部３０が手首近傍を締め付けて袖部１０の下縁近傍を手首に固定する。同様に逆側の腕にも日焼け防止カバーを装着する。次に、両手にゴルフ用の手袋Ｇを装着する。この際、袖部１０の下縁に存する筒状のおおい１０ａの内側に手袋Ｇの開口部が位置するようにする。これにより、手袋Ｇと手首との境も筒状のおおいで覆われることになる。そして、この状態でゴルフを行う。これにより、腕から手首にかけてすべて紫外線遮蔽加工が施された袖部１０に覆われるので腕の日焼けを防ぐことができる。なお、ゴルフコースにいる間は、日焼け防止のために手袋ははずさないことが望ましい。そして、昼食時等ゴルフコースの外へ出る場合には、両手から手袋をはずし、さらに、日焼け防止カバーＸを腕から抜きとる。この際、上腕締結部２０、手首締結部３０はゴムベルトで締結しているので簡易に腕から抜き取ることができる。これにより、使用者はゴルフコース外では半袖の状態で過ごすことができる。
以上のように、本日焼け防止カバーＸによれば、ゴルフを行う際には腕の日焼けを防ぐことができ、ゴルフコース外では、簡易に半袖で過ごすことができる。また、装着時に日焼け防止カバーＸとゴルフウエアの袖との間には隙間ができるので、長袖のゴルフウエアを着用する場合に比較して通気性が高くなり涼しさを感じることもできる。
なお、個々では上腕締結部、手首締結部をゴムベルトによっているが、これは、面ファスナーを利用したり、ボタンやホックを利用する等、種々の手段を用いることができる。
【図面の簡単な説明】
【０００８】
【図１】実施形態に係る日焼け防止用アームカバーの正面図である。
【図２】実施形態に係る日焼け防止用アームカバーの使用状態を模式的に示す図である。
【符号の説明】
【０００９】
Ｘ  日焼け防止用アームカバー
１０  袖部
２０  上腕締結部
３０  手首締結部
【図１】
2006241635.tif 000003
【図２】
2006241635.tif 000004